(57)【要約】      （修正有）【課題】安定した高速流を得ることが可能で、効率のよい異物と液体との分離を可能とするとともに、披処理液をゴミ、異物だけでなく油も分離するサイクロン式濾過器を提供する。【解決手段】筒体２２の内側面又は外側面に沿って管を螺旋状に設け、この管２８の内側に披処理液を送圧流通することによって、披処理液に含まれる水３６、異物及び油３８を遠心分離し、これら分離された水、異物、油を前記筒体の内側に噴出させることにより、重い異物を下方に溜め、前記筒体の上部に構成した略ドーム状又は略円錐状の屋根部５２の内側に、水の上に浮上した油を集め、この屋根部の頂部に油排出口を設けて、これら浮上した油を排出し、前記筒体の内側面に沿って水が排出されるよう偏心した方向に水排出管５６を設けて、油と水を分離して別々に排出する。【選択図】図１
2009248078.tif 000002
【特許請求の範囲】
【請求項１】
筒体の下部に異物排出口を有する円錐体を設け、前記筒体の内側面に披処理液を送圧することによって、披処理液に含まれる異物を遠心分離するサイクロン式濾過装置において、前記筒体の内側面又は外側面に沿って管を螺旋状に設け、この管の内側に披処理液を送圧流通することによって、披処理液に含まれる水、異物及び油を遠心分離し、これら分離された水、異物、油を前記筒体の内側に噴出させることにより、重い異物を下方に溜め、前記筒体の上部に構成した略ドーム状又は略円錐状の屋根部の内側に、水の上に浮上した油を集め、この屋根部の頂部に油排出口を設けて、これら浮上した油を排出し、前記筒体の内側面に沿って水が排出されるよう偏心した方向に水排出管を設けて、油と水を分離して別々に排出することを特徴とする油分離可能なサイクロン式濾過装置。
【発明の詳細な説明】
【特許請求の範囲】
【請求項１】
筒体の下部に異物排出口を有する円錐体を設け、前記筒体の内側面に披処理液を送圧することによって、披処理液に含まれる異物を遠心分離するサイクロン式濾過装置において、前記筒体の内側面又は外側面に沿って管を螺旋状に設け、この管の内側に披処理液を送圧流通することによって、披処理液に含まれる水、異物及び油を遠心分離し、これら分離された水、異物、油を前記筒体の内側に噴出させることにより、重い異物を下方に溜め、前記筒体の上部に構成した略ドーム状又は略円錐状の屋根部の内側に、水の上に浮上した油を集め、この屋根部の頂部に油排出口を設けて、これら浮上した油を排出し、前記筒体の内側面に沿って水が排出されるよう偏心した方向に水排出管を設けて、油と水を分離して別々に排出することを特徴とする油分離可能なサイクロン式濾過装置。
【技術分野】
【０００１】  本発明は披処理液に含まれる異物及び油を遠心分離する油分離可能なサイクロン式濾過装置に関するものである。
【背景技術】
【０００２】  披処理液に含まれる異物を分離する方法として、サイクロン方式が利用されているが、図７の従来技術に示されるように、筒１０の中を偏心させた方向よりポンプ１２で送圧された高速の水流１４をこの筒１０の中に入れ、筒１０の中で渦を作ることにより比重の大きい異物１６は筒１０の下部に設けられた円錐体１１の底部に沈み、異物１６を分離した油を含む液体１８は上部に設けられた出口２０より外部に排出される仕組みとなっているのが大半である。【０００３】  特開２００６−１５９１４３に示されるように、外筒の内側に内筒を設けたもの、又、特開２００７−５４６７７に示されるように、外筒の内側に複数枚の円弧状の仕切り板を設けて構成したものがあるが、いずれも上部の披処理液が送圧される場所は、水流が早いが下部のほうになると水流が遅くなり、さらに油までは分離できなかった。
【特許文献１】特開２００６−１５９１４３号公報
【特許文献２】特開２００７−５４６７７号公報
【０００４】  そこで、外筒の内側面に管を螺旋状に設け、この管の内側に披処理液を送圧流通することによって、披処理液に含まれる異物を遠心分離し、円筒上部の偏心させた位置から導入された異物を含んだ水、油は筒内に遠心状に管の中を高速で流れることにより異物は管の側面に集まり内側には異物を含まない水、油、比重の軽い物が流れ、その中心部分に出口があった為、分離したい油は外部に排出され油の分離は出来なかった。又、管内の流体は単なる筒のサイクロン方式のように内部の流体の抵抗を受けることなく安定した高速流を得ることが可能で効率のよい異物と液体との分離が可能となったが、水と油の分離はできなかった。【０００５】  一方、工業用、水溶性金属加工液はその中に混入してくる工作機械から漏れた油、ワークに付着した鉱物油と加工により発生する金属粉が混入し液が汚れ、腐敗することにより更液が行なわれている、特に鉱物油はバクテリアの餌となり、又嫌気の状態を作る原因ともなり除去することが水溶性加工液の寿命を伸ばす大きな要因となっている、併せて金属粉もバクテリアの餌となる為、この鉱物油を除去することが大事である。
【発明の開示】
【発明が解決しようとする課題】  従来のサイクロン方式は筒の中に濾過液を偏心させて高速で導入する事により遠心力を働かせて比重の重いゴミを底部より排出する方法でゴミ取りだけの目的であった、遠心力を加えると液より比重の軽い物は上部に浮いて来るが従来のサイクロン方式はそこに濾過液の出口がある為、又油が浮いて来るはずの上部より高速で濾過液を入れる為、浮いて来た油も再び混ざってしまって油分は濾過液と共に出て行き分離できなかった、本発明の目的は、単なる筒のサイクロン方式のように内部の流体の抵抗を受けることなく安定した高速流を得ることが可能で、効率のよい異物と液体との分離を可能とするとともに、披処理液をゴミ、異物だけでなく油も分離することにある。
【課題を解決するための手段】
【０００６】  筒体の下部に異物排出口を有する円錐体を設け、前記筒体の内側面に披処理液を送圧することによって、披処理液に含まれる異物を遠心分離するサイクロン式濾過装置において、前記筒体の内側面又は外側面に沿って管を螺旋状に設け、この管の内側に披処理液を送圧流通することによって、披処理液に含まれる水、異物及び油を遠心分離し、これら分離された水、異物、油を前記筒体の内側に噴出させることにより、重い異物を下方に溜め、前記筒体の上部に構成した略ドーム状又は略円錐状の屋根部の内側に、水の上に浮上した油を集め、この屋根部の頂部に油排出口を設けて、これら浮上した油を排出し、前記筒体の内側面に沿って水が排出されるよう偏心した方向に水排出管を設けて、油と水を分離して別々に排出することを特徴とする油分離可能なサイクロン式濾過装置。
【発明の効果】
【０００７】    円筒上部の偏心させた位置から導入された異物を含んだ水、油は筒外又は筒内に螺旋状に設けられた管の中を高速で流れることにより異物は管の側面に集まり内側には異物を含まない水、空気が流れ、管内の流体は単なる筒のサイクロン方式のように内部の流体の抵抗を受けることなく安定した高速流を得ることが可能で効率のよい異物と液体との分離が可能となるとともに、筒体の上部に構成した略ドーム状又は略円錐状の屋根部の内側に、水の上に浮上した油を集め、この屋根部の頂部に油排出口を設けて、これら浮上した油を排出し、前記筒体の内側面に沿って水が排出されるよう偏心した方向に水排出口を設けることにより、油と水を分離して別々に排出することが可能となった。
【実施例】
【０００８】  以下図面により、本発明の実施例について説明する。図１は本発明によるサイクロン式濾過装置の全体斜視図で、筒体２２の下部に異物排出口２４を有する円錐体２６を設け、前記筒体の外側面に沿って管２８を螺旋状に設け、この管２８の内側に異物３４、油３８が混合した披処理液３０をポンプ３２で送圧流通することにより、図２の管２８の排出部断面に示されるように、螺旋状の管２８の内側では、披処理液３０に含まれる重い異物３４は遠心力により、管２８の内側で外方に押付けられて凝集し、水３６より軽い油３８は内方に押付けられて水３６と分離されて排出される。なお、凝集した異物３４は管２８の内側に詰まらないよう管を内面の滑らかな仕上げの金属とすることが望ましい。【０００９】  図３は本実施例による油分離可能なサイクロン式濾過装置の縦断面図を示し、図４は図３のＡ−Ａ矢視図を示す。管２８の排出部は図４に示されるように、筒体２２の壁を貫通して、内側に開口して開口面４０は筒体２２の内側面に対し垂直になるよう構成し、これによって、披処理液３０から分離された、異物３４、水３６、油３８は筒体２２の内側面に沿って噴出するよう構成されている。【００１０】  管２８から排出された異物３４は円錐体２６の底部に沈み、異物排出口２４より下方に落下するが、円錐体２６の下面と底板４２、筒体２２の下部内側面で異物溜り室４４を形成しているので、下方に落下した異物３４はこの異物溜り室４４に溜まって、円錐体２２に溜まることはなく、異物溜り室４４に溜まった異物３４は異物排出口４６、異物排出管４８を経てバルブ５０の開閉により外部に排出される。【００１１】  管２８から排出された油３８は水３６より軽い為、浮上して筒体の上部に構成したドーム状の屋根部５２の内側に集まり、下方から押圧されるので、この屋根部５２の頂部に設けられた油排出管５４より外部に排出され、図５に示されるように、水３６は筒体２２の中で遠心分離されて、筒体２２の内側面に押圧され、筒体２２の内側面に沿って水３６が排出されるよう偏心した方向に設けられた水排出管５６より外部に排出されるので、披処理液３０は完全に異物３４、水３６、油３８に分離されて其々の排出管から外部に排出される。【００１２】  図６は本発明の他の実施例で、披処理液３０を遠心分離させる管５８を筒体２２の内側面に螺旋状に設けたものであって、この場合は管５８の入口部分を筒体２２の壁を貫通して構成している。
【図面の簡単な説明】
【図１】  本発明によるサイクロン式濾過装置の全体斜視図を示す。
【図２】  螺旋状の管の排出部の断面図を示す。
【図３】  本発明によるサイクロン式濾過装置の縦断面図を示す。
【図４】  図３のＡ−Ａ矢視図を示す。
【図５】  図１のＢ−Ｂ矢視図を示す。
【図６】  本発明の他の実施例を示す。
【図７】  従来のサイクロン式濾過装置を示す。
【符号の説明】
１０  筒
１１  円錐体
１２  ポンプ
１４  高速の水流
１６  異物
１８  液体
２０  出口
２２  筒体
２４  異物排出口
２６  円錐体
２８  螺旋状の管
３０  披処理液
３２  ポンプ
３４  異物
３６  水
３８  油
４０  開口面
４２  底板
４４  異物溜り室
４６  異物排出口
４８  異物排出管
５０  バルブ
５２  屋根部
５４  油排出管
５６  水排出管
５８  管
【図１】
2009248078.tif 000003
【図２】
2009248078.tif 000004
【図７】
2009248078.tif 000005
【図３】
2009248078.tif 000006
【図４】
2009248078.tif 000007
【図５】
2009248078.tif 000008
【図６】
2009248078.tif 000009